(57)【要約】【課題】止水材の注入に利用可能な型枠用セパレーターを提供する。【解決手段】コンクリート製の地下壁Ｃの構築に用いられ、地盤Ｇ側から任意の間隔で型枠を保持する型枠用セパレーターＡであって、先端１ａが地盤Ｇ側に配設される略筒状の筒状部１と、筒状部１の後端１ｃの接続部１ｄに一端が着脱可能に接続される棒状のセパレーター部と、セパレーター部の他端側に着脱可能に接続されて型枠を保持する位置決め部とを備え、筒状部１の先端１ａ側には、地盤Ｇ側と地下壁Ｃの間に注入する止水材を吐出するための吐出孔１ｅが設けられている。【選択図】図７
2007277881.tif 000002
【特許請求の範囲】
【請求項１】
コンクリート製の地下壁の構築に用いられ、地盤側から任意の間隔で型枠を保持する型枠用セパレーターであって、
先端が前記地盤側に配設される略筒状の筒状部と、該筒状部の後端の接続部に一端が着脱可能に接続される棒状のセパレーター部と、セパレーター部の他端側に着脱可能に接続されて前記型枠を保持する位置決め部とを備え、前記筒状部の先端側には、前記地盤側と前記地下壁の間に注入する止水材を吐出するための吐出孔が設けられていることを特徴とする型枠用セパレーター。
【請求項２】
請求項１記載の型枠用セパレーターにおいて、
前記筒状部の後端と前記位置決め部の先端の間に設けられ、前記セパレーター部が挿通されて該セパレーター部を保護する筒状の保護部材が具備されていることを特徴とする型枠用セパレーター。
【請求項３】
請求項１または請求項２に記載の型枠用セパレーターにおいて、
前記筒状部の先端から前記位置決め部の先端までの間に環装されて支持されたリング状の止水部材が設けられていることを特徴とする型枠用セパレーター。
【請求項４】
請求項１から請求項３のいずれかに記載の型枠用セパレーターにおいて、
前記吐出孔は、前記筒状部の外面から内面に貫通する貫通孔、もしくは前記筒状部の先端から後端に向けて切り欠かれたスリットであることを特徴とする型枠用セパレーター。
【請求項５】
請求項１から請求項４のいずれかに記載の型枠用セパレーターにおいて、
前記吐出孔は、前記筒状部の軸線中心の周方向に等間隔で４つ以上設けられていることを特徴とする型枠用セパレーター。
【請求項６】
請求項１から請求項５のいずれかに記載の型枠用セパレーターにおいて、
前記筒状部の先端側には、前記吐出孔からの前記止水材の吐出を可能にしつつ前記筒状部の内部への不純物の流入を阻止する弾性部材が取り付けられていることを特徴とする型枠用セパレーター。
【請求項７】
請求項１から請求項６のいずれかに記載の型枠用セパレーターにおいて、
前記筒状部の接続部には雌ネジ部が設けられ、前記セパレーター部には、前記一端側及び前記他端側に雄ネジ部が設けられるとともに、前記位置決め部には雌ネジ部が設けられており、前記筒状部と前記セパレーター部、及び前記セパレーター部と前記位置決め部が、それぞれの前記雄ネジ部と前記雌ネジ部が螺合されて着脱可能に接続されることを特徴とする型枠用セパレーター。
【請求項８】
請求項１から請求項７のいずれかに記載の型枠用セパレーターにおいて、
前記筒状部の先端側に雌ネジ部が設けられ、前記地盤側に取り付けたスクリュービットの後端側の雄ネジ部に前記雌ネジ部が螺合されて前記筒状部が支持されることを特徴とする型枠用セパレーター。
【請求項９】
請求項２から請求項８のいずれかに記載の型枠用セパレーターにおいて、
前記保護部材が塩化ビニル製または鋼製であることを特徴とする型枠用セパレーター。
【請求項１０】
請求項６から請求項９のいずれかに記載の型枠用セパレーターにおいて、
前記弾性部材がスポンジであることを特徴とする型枠用セパレーター。
【請求項１１】
請求項１から請求項１０のいずれかに記載の型枠用セパレーターにおいて、
前記セパレーター部の直径が２分５厘であることを特徴とする型枠用セパレーター。
【発明の詳細な説明】
【技術分野】
【０００１】
本発明は、型枠を任意の間隔に保持するとともに、構築したコンクリート製の地下壁の漏水対策に用いる型枠用セパレーターに関する。
【背景技術】
【０００２】
従来、例えばコンクリート製の地下壁を構築する際には、山留め壁に建て込まれたＨ型鋼にセパレーターを溶接などで取付け、セパレーターに刺し通しながら山留め壁の壁面に沿う例えばシート状防水材を敷設し、セパレーターに山留め壁の壁面から所定の間隔で離間させた型枠を支持させて、山留め壁と型枠の間にコンクリートを打設している。しかし、型枠内にコンクリートを打設する際に、シート状防水材が下方に引っ張られ、セパレーターとシート状防水材との間に隙間が生じて漏水を招く場合が多々あった。
【０００３】
これに対し、セパレーター装置を、山留め壁に固定される取付金具と、取付金具を介して山留め壁に取り付けられるセパレーターとで構成したものがある（例えば、特許文献１参照）。このセパレーター装置では、取付金具が、外周面にネジ部を備える軸部と、軸部の基端側に形成される基端フランジ部と、軸部の先端側に形成される接続部とを備え、セパレーターが、棒状に形成されるとともに外周面にネジ部を備えて形成されている。このセパレーター装置においては、山留め壁に建て込まれたＨ型鋼などに基端フランジ部を固着して取付金具を取り付け、この取付金具の軸部を刺し通しながらシート状防水材を設置した段階で、軸部に締め付けナットを螺合し、締め付けナットと基端フランジ部とでシート状防水材を挟持固定する。そして、軸部の接続部に棒状のセパレーターを取付け、その先端側に型枠を支持させる。このようにセパレーター装置を設置した場合には、型枠内にコンクリートを打設してシート状防水材が下方に引っ張られたとしても、締め付けナットと基端フランジ部とでシート状防水材が挟持固定されているため、この部分に隙間が生じることを防止できる。
【０００４】
この一方で、コンクリートの打設でシート状防水材に裂傷が生じたり、シート状防水材同士の接合部分が経年的に剥離して、地下壁の目地やひび割れなどから漏水が生じる場合がある。これに対し、特に漏水量が多い場合や確実に止水させる必要がある場合などでは、地下壁にドリルなどで複数の貫通孔を開け、この貫通孔を通じて地下壁と山留め壁との間（隙間）に例えばアクリルエマルジョンなどの止水材を注入して、地下水の水みちとなる前記隙間を埋めて止水させる裏面防水工法が適用される。
【特許文献１】実用新案登録第３０５３２２１号公報
【発明の開示】
【発明が解決しようとする課題】
【０００５】
しかしながら、上記の裏面防水工法では、地下壁に複数の貫通孔を開ける関係上、地下壁を傷つけることになり、地下壁にセパレーター跡に加えて施工後に貫通孔を埋めた跡が残るため、地下壁の美観の低下を招くことなどから特に施工中や施工後間もない地下壁に貫通孔を設けることに理解が得られない場合が多々あった。また、裏面防水工法は、止水材を注入するための貫通孔の形成に掛かるコストが全体コストの約７割を占めるため、コスト高になるという欠点があった。
【０００６】
本発明は、上記事情を鑑み、止水材の注入に利用可能な型枠用セパレーターを提供することを目的とする。
【課題を解決するための手段】
【０００７】
上記の目的を達するために、この発明は以下の手段を提供している。
【０００８】
本発明の型枠用セパレーターは、コンクリート製の地下壁の構築に用いられ、地盤側から任意の間隔で型枠を保持する型枠用セパレーターであって、先端が前記地盤側に配設される略筒状の筒状部と、該筒状部の後端の接続部に一端が着脱可能に接続される棒状のセパレーター部と、セパレーター部の他端側に着脱可能に接続されて前記型枠を保持する位置決め部とを備え、前記筒状部の先端側には、前記地盤側と前記地下壁の間に注入する止水材を吐出するための吐出孔が設けられていることを特徴とする。
【０００９】
また、本発明の型枠用セパレーターにおいては、前記筒状部の後端と前記位置決め部の先端の間に設けられ、前記セパレーター部が挿通されて該セパレーター部を保護する筒状の保護部材が具備されていることが望ましい。
【００１０】
さらに、本発明の型枠用セパレーターにおいては、前記筒状部の先端から前記位置決め部の先端までの間に環装されて支持されたリング状の止水部材が設けられていることがより望ましい。
【００１１】
また、本発明の型枠用セパレーターにおいて、前記吐出孔は、前記筒状部の外面から内面に貫通する貫通孔、もしくは前記筒状部の先端から後端に向けて切り欠かれたスリットであることが望ましい。
【００１２】
さらに、本発明の型枠用セパレーターにおいて、前記吐出孔は、前記筒状部の軸線中心の周方向に等間隔で４つ以上設けられていることがより望ましい。
【００１３】
また、本発明の型枠用セパレーターにおいては、前記筒状部の先端側に、前記吐出孔からの前記止水材の吐出を可能にしつつ前記筒状部の内部への不純物の流入を阻止する弾性部材が取り付けられていることが望ましい。
【００１４】
さらに、本発明の型枠用セパレーターにおいては、前記筒状部の接続部に雌ネジ部が設けられ、前記セパレーター部には、前記一端側及び前記他端側に雄ネジ部が設けられるとともに、前記位置決め部には雌ネジ部が設けられており、前記筒状部と前記セパレーター部、及び前記セパレーター部と前記位置決め部が、それぞれの前記雄ネジ部と前記雌ネジ部が螺合されて着脱可能に接続されることが望ましい。
【００１５】
また、本発明の型枠用セパレーターにおいては、前記筒状部の先端側に雌ネジ部が設けられ、前記地盤側に取り付けたスクリュービットの後端側の雄ネジ部に前記雌ネジ部が螺合されて前記筒状部が支持されることがより望ましい。
【００１６】
さらに、本発明の型枠用セパレーターにおいては、前記保護部材が塩化ビニル製または鋼製であることが望ましい。
【００１７】
また、本発明の型枠用セパレーターにおいては、前記弾性部材がスポンジであることが望ましい。
【００１８】
さらに、本発明の型枠用セパレーターにおいては、前記セパレーター部の直径が２分５厘であることが望ましい。
【発明の効果】
【００１９】
本発明の型枠用セパレーターによれば、筒状部と、筒状部に着脱可能に接続されるセパレーター部と、セパレーター部に着脱可能に接続されて型枠を保持する位置決め部とを備え、筒状部の先端側に止水材を吐出する吐出孔が設けられていることによって、筒状部の先端を地盤側に配して設置するとともに、その後端にセパレーター部を取付け、かつセパレーター部に位置決め部を取り付けることで、型枠を所定の位置に設置できる。これにより、地盤側と型枠の間にコンクリートを打設して所望の地下壁を構築することができ、位置決め部をコンクリート躯体（地下壁）から除去し筒状部とセパレーター部をコンクリート内に埋設させることができる。
【００２０】
そして、地下壁構築後に漏水が発生した場合に、筒状部に着脱可能に接続されたセパレーター部を取り外すことによって筒状部の内孔と連通するコンクリートの孔に止水材を供給することにより、筒状部の先端側から地盤側と地下壁の隙間に止水材を注入することができる。これにより、本来、型枠を保持するために用いられる型枠用セパレーターを止水材の注入用として使用できるため、従来の裏面防水工法のように別途貫通孔を形成する必要がなく、地下壁に損傷を与えることを防止でき、かつ止水に掛かるコストを大幅に低減することが可能になる。また、セパレーター跡に加えて別途貫通孔の跡が地下壁に形成されることがないため、地下壁の美観の低下を招くことも解消できる。
【００２１】
また、本発明の型枠用セパレーターにおいては、筒状部の後端と位置決め部の先端の間に設けられ、セパレーター部が挿通されてこのセパレーター部を保護する筒状の保護部材が具備されていることによって、セパレーター部をコンクリートと非接触状態に保持することができる。これにより、止水材を注入する際に筒状部からセパレーター部を容易に取り外すことができ、保護部材の内孔からこの内孔と連通する筒状部の内孔に止水材を供給して、筒状部の先端側から地盤側と地下壁の隙間に止水材を注入することができる。
【００２２】
さらに、本発明の型枠用セパレーターにおいては、筒状部の先端から位置決め部の先端までの間に環装した止水部材が設けられていることによって、コンクリートと、筒状部及びセパレーター部または保護部材との間に地下水が侵入した場合においても、止水部材によって地下水の水みちを遮断することができ、このコンクリートと、筒状部及びセパレーター部または保護部材との間を水みちとして漏水が生じることを防止できる。
【００２３】
また、本発明の型枠用セパレーターにおいては、吐出孔が、筒状部の外面から内面に貫通する貫通孔、もしくは筒状部の先端から後端に向けて切り欠かれたスリットとして設けられていることによって、筒状部の内孔に供給した止水材をこの貫通孔やスリットを通じて確実に外部に吐出させることができ、確実に地盤側と地下壁の隙間に止水材を注入することができる。
【００２４】
さらに、本発明の型枠用セパレーターにおいては、吐出孔が、筒状部の軸線中心の周方向に等間隔で４つ以上設けられていることによって、地盤側と地下壁の隙間に満遍なく止水材を吐出させることができるため、確実にこの隙間を止水材で充填することができる。これにより、確実に漏水を止水させることが可能になる。
【００２５】
また、本発明の型枠用セパレーターにおいては、筒状部の先端側に、吐出孔からの止水材の吐出を可能にしつつ筒状部の内部への不純物の流入を阻止する弾性部材が取り付けられていることによって、例えば打設したコンクリートが硬化する前段で発生するコンクリートノロや、地下水などが筒状部の内部に流入することを防止でき、筒状部の内孔がコンクリートのセメント成分で閉塞したり、筒状部の内孔を通じて漏水を誘発させるようなことを防止できる。
【００２６】
さらに、本発明の型枠用セパレーターにおいては、筒状部とセパレーター部、及びセパレーター部と位置決め部がそれぞれのネジで接続されることによって、各部材の着脱を確実かつ容易に行なうことができる。
【００２７】
また、本発明の型枠用セパレーターにおいては、筒状部の先端側に雌ネジ部が設けられ、地盤側に取り付けたスクリュービットの後端側の雄ネジ部に雌ネジ部を螺合させて筒状部が支持されるように構成することで、筒状部の設置を容易に行なうことができるとともに、所定の位置に吐出孔を配することができる。これにより、吐出孔から吐出させた止水材を確実に地盤側と地下壁との隙間に注入することが可能になる。
【００２８】
さらに、本発明の型枠用セパレーターにおいては、保護部材が塩化ビニル製である場合、コンクリート中の水分などによって保護部材に腐食が生じることを防止でき、確実にセパレーターを保護することができる。また、現場で容易に切断加工を行ないその長さを調整できるため、筒状部を一定長さで形成した場合においても、保護部材の長さを調整することで、地盤側と型枠との隙間、すなわち地下壁の壁厚に応じた長さで形成されるセパレーター部を確実に保護することが可能になる。さらに、保護部材が鋼製である場合には、確実にセパレーター部をコンクリートと非接触状態に保持することができる。
【００２９】
また、本発明の型枠用セパレーターにおいては、弾性部材がスポンジであることによって、確実に吐出孔からの止水材の吐出を可能にしつつ筒状部の内部への不純物の流入を阻止することができる。
【００３０】
さらに、本発明の型枠用セパレーターにおいては、セパレーター部の直径が２分５厘であることによって、従来のセパレーターをそのまま転用することができ、ひいては従来使用される例えばＰコンなどの位置決め部材をそのまま転用することができる。例えば、セパレーター部を２分５厘よりも大きく形成した場合には、位置決め部材も大きくなり、セパ孔の補修手間の増大を招くことになる。
【発明を実施するための最良の形態】
【００３１】
以下、図１から図７を参照し、本発明の一実施形態に係る型枠用セパレーターについて説明する。本実施形態は、コンクリート製の地下壁を構築する際に用いられ、型枠を任意の間隔に保持するとともに、構築した地下壁からの漏水対策に利用可能とした型枠用セパレーターに関するものである。
【００３２】
本実施形態の型枠用セパレーターＡは、図１に示すように、鋼製で円筒状の円筒状部材（筒状部）１と、一端側が円筒状部材１に着脱可能に接続される円柱棒状のセパレーター芯材（セパレーター部）２と、セパレーター芯材２の他端側に着脱可能に接続される円錐台筒状の位置決め部材３ａと、セパレーター芯材２を挿通させつつこれを保護する円筒状の保護部材４と、保護部材４に環装されたリング状の止水部材５と、円筒状部材１の先端１ａ側に取り付けられた環状で板状の弾性部材６とから構成されている。なお、本実施形態体において、位置決め部材３ａは、後述するネジ棒３ｂとともに型枠７を保持するための位置決め部３を構成している。
【００３３】
円筒状部材１は、円筒状の本体部１ｂと、本体部１ｂの後端（円筒状部材１の後端１ｃ側）に一体に固着された接続部１ｄとから構成されている。本体部１ｂは、その先端１ａ側（円筒状部材１の先端１ａ側）に、外周面（外面）から内周面（内面）に貫通し、かつ先端１ａから後端１ｃに向けて軸線（型枠用セパレーターＡの軸線）Ｏ１方向に切り欠かれた複数のスリット（吐出孔）１ｅが形成されている。この複数のスリット１ｅは、本実施形態では６本設けられ、軸線Ｏ１中心の周方向に等間隔で配設されている。また、この本体部１ｂの先端１ａ側には、その内面に雌ネジの螺刻が施されて雌ネジ部１ｆが形成され、この雌ネジ部１ｆは、先端１ａからスリット１ｅの軸線Ｏ１方向後端１ｃ側の端部よりも先端１ａ側に位置する範囲で形成されている。接続部１ｄは、雌ネジの内径が２分５厘とされたナットとされ、本体部１ｂの後端１ｃ側に互いの軸線Ｏ１が同軸上に配されるようにして例えば溶接などで固着されている。
【００３４】
セパレーター芯材２は、直径が２分５厘とされ、その先端（一端）側及び後端（他端）側の外周面にそれぞれ雄ネジ部２ａが形成されている。そして、このセパレーター芯材２は、先端側の雄ネジ部２ａを円筒状部材１の接続部１ｄの雌ネジ部１ｇに螺合させることによって、互いの軸線Ｏ１を同軸上に配して一体に接続されている。
【００３５】
円錐台筒状の位置決め部材３ａは、例えばプラスチックコーン（Ｐコン）やモルタルコーン（Ｍコン）などであり、内孔内面に雌ネジの螺刻が施されて雌ネジ部３ｃが形成されている。そして、この位置決め部材３ａは、セパレーター芯材２の後端側の雄ネジ部２ａが小径側の先端側から雌ネジ部３ｃの一部に螺合されることにより、セパレーター芯材２と一体に接続されている。また、位置決め部材３ａの大径側の後端側には、外周面に雄ネジの螺刻が施された略円柱棒状のネジ棒３ｂが雌ネジ部３ｃの一部に螺合されて、位置決め部材３ａの後端から軸線Ｏ１方向外側に向けて突設されて着脱可能に接続されている。
【００３６】
保護部材４は、本実施形態において塩化ビニル製または鋼製の円管であり、セパレーター芯材２を円筒状部材１に取り付け、かつセパレーター芯材２に位置決め部材３ａを取り付けた状態で、円筒状部材１の後端（接続部１ｄの後端面）１ｃと位置決め部材３ａの先端（先端面）に軸線Ｏ１方向一端と他端をそれぞれ当接させて、すなわち円筒状部材１と位置決め部材３ａに挟持されて設けられている。このとき、保護部材４の内孔Ｈ１内にセパレーター芯材２が挿通され、このセパレーター芯材２の外周面と保護部材４の内面は、非接触状態、すなわち隙間を設けた状態とされている。
【００３７】
止水部材５は、例えばゴム製でリング状に形成されており、その内孔に保護部材４を嵌挿させた状態で互いに一体に設けられている。環状で略矩形板状の弾性部材６は、例えばスポンジであり、その内孔に円筒状部材１の本体部１ｂの先端１ａ側が挿通され、かつこの内孔内面と本体部１ｂの外面が固着されている。また、このとき、弾性部材６は、その先端面が円筒状部材１の先端１ａと軸線Ｏ１方向の略同位置とされ、円筒状部材１のスリット１ｅの先端１ａ側を覆うように設けられている。すなわち、円筒状部材１のスリット１ｅはその大部分が露出している。
【００３８】
ついで、上記構成からなる型枠用セパレーターＡを用いて型枠７を設置し地下壁Ｃを構築する方法について説明する。
【００３９】
型枠７を設置する際には、はじめに、図２に示すように、例えば、地盤Ｇを支持した山留め壁Ｇ１に建て込まれ、山留め壁Ｇ１の壁面Ｇ２に一面が露出するＨ型鋼（親杭）Ｇ３に、スクリュービット１０を設置する。このとき、Ｈ型鋼Ｇ３の一面から所定の長さが突出するようにスクリュービット１０が設置される。なお、このスクリュービット１０には、その突出する部分の外周面に雄ネジが施されている。
【００４０】
ついで、先端１ａ側に弾性部材６が環装されて固着した円筒状部材１を、その先端１ａ側の雌ネジ部１ｆをスクリュービット１０の雄ネジに螺合させて取り付ける。このとき、円筒状部材１は、その先端１ａ及び弾性部材６の先端面がＨ形鋼Ｇ３の一面に当接するようにスクリュービット１０に取り付けられて支持される。
【００４１】
ついで、図３に示すように、円筒状部材１の後端１ｃ側に設けられた接続部１ｄの雌ネジ部１ｇに、セパレーター芯材２の先端側の雄ネジ部２ａを螺合させて接続する。そして、図４及び図５に示すように、セパレーター芯材２の後端側から、止水部材５を環装した保護部材４の内孔Ｈ１にセパレーター芯材２を挿通させ、保護部材４の先端を接続部１ｄの後端面に当接させつつセパレーター芯材２の後端側の雄ネジ部２ａに位置決め部材３ａを螺合させる。そして、位置決め部材３ａを完全に螺合させて設置するとともに、接続部１ｄと位置決め部材３ａとで保護部材４を挟持固定する。このとき、保護部材４の軸線Ｏ１がセパレーター芯材２の軸線Ｏ１を略同軸上に配するようにして、保護部材４の内面とセパレーター芯材２の外面を非接触とする。ここで、保護部材４が塩化ビニル製である場合には、容易に切断してその長さを調整することができる。これにより、一定の長さで形成された円筒状部材１の後端１ｃと位置決め部材３ａの先端の間隔、すなわち保護すべきセパレーター芯材２の長さ、さらには山留め壁Ｇ１の壁面Ｇ２と型枠７の内面までの距離（地下壁Ｃの壁厚）に応じて現場でその長さが調整される。
【００４２】
ついで、図６に示すように、位置決め部材３ａの後端側の雌ネジ部３ｃに螺合させてネジ棒３ｂを取り付ける。この段階で、ネジ棒３ｂが挿通可能な型枠７の型枠孔７ａにネジ棒３ｂを挿通させ、型枠７の内面を位置決め部材３ａの後端面に当接させた状態でネジ棒３ｂに図示せぬナットを螺合させてゆき、このナットと位置決め部材３ａとで型枠７を挟持固定する。これにより、山留め壁Ｇ１の壁面Ｇ２と型枠７の内面との隙間が地下壁Ｃの壁厚と等しく形成されて型枠７の設置が完了する。ここで、上記のように型枠７を設置するために用いる本発明の型枠用セパレーターＡは、従来の型枠用セパレーターと同様に、例えば７００ｍｍ程度のピッチで複数設置されて型枠７を保持する。
【００４３】
このように型枠７を設置した段階で、形成した隙間にコンクリートを打設する。このとき、未硬化状態のコンクリートにおいて山留め壁Ｇ１の壁面Ｇ２や型枠７の内面に沿ってコンクリートノロなどが流動する場合が多々あるが、本実施形態では、このようなコンクリートノロなどの不純物は、円筒状部材１の先端１ａに取り付けられた弾性部材６によって、円筒状部材１の内孔Ｈ２内に侵入することが阻止される。これにより、コンクリートノロが内孔Ｈ２を閉塞させたりすることがない。
【００４４】
そして、コンクリートが所定の強度を発現した段階で、型枠７を取り外す。本実施形態では、このように型枠７を取り外した段階で、ネジ棒３ｂ及び位置決め部材３ａを取り外し、さらにセパレーター芯材２を円筒状部材１から取り外して、保護部材４の内孔Ｈ１及び円筒状部材１の内孔Ｈ２に漏水の侵入がないかを確認する。この段階で、漏水が確認されない場合には、セパレーター芯材２を再度取り付けるとともに、位置決め部材３ａで画成された凹孔Ｈ３に図示せぬ水膨張性の止水コンを取り付けて地下壁Ｃの施工を完了する。なお、このように構築した地下壁Ｃでは、地下壁Ｃ内に埋設されて残置した円筒状部材１や保護部材４とコンクリートとの間に地下水が侵入し、この水みちを流通しようとした場合においても、止水部材５によって水みちが遮断されているため漏水が生じることがない。
【００４５】
一方、漏水が確認され、その量が多く地盤Ｇ側と地下壁Ｃとの隙間を止水材で充填する必要があると判断された場合には、図７に示すように、保護部材４の内孔Ｈ１に凹孔Ｈ３を介して高圧注入機のプラグＴをセットし、例えばアクリルエマルジョン樹脂やエポキシ樹脂などの止水材を加圧しつつ供給する。止水材は、保護部材４の内孔Ｈ１からこの内孔Ｈ１に連通する円筒状部材１の内孔Ｈ２内に供給されてゆく。そして、止水材が吐出孔１ｅから外部に吐出されるとともに地盤Ｇ側と地下壁Ｃとの隙間に充填される。本実施形態では、上記のように型枠用セパレーターＡを利用して止水材の注入が行なわれ、このとき、従来の裏面防水工法を施す際に地下壁Ｃに形成する貫通孔の例えば６００ｍｍ〜８００ｍｍ程度のピッチと略同等の例えば７００ｍｍ程度のピッチで型枠用セパレーターＡが設置されているため、従来の裏面防水工法と同様に止水材が注入される。
【００４６】
したがって、本実施形態の型枠用セパレーターＡにおいては、円筒状部材１の先端１ａを地盤Ｇ側に配設するとともに、その後端１ｃにセパレーター芯材２を取付け、かつセパレーター芯材２に位置決め部材３を取り付けることで、型枠７を所定の位置に設置できる。これにより、地盤Ｇ側と型枠７の間にコンクリートを打設して所望の地下壁Ｃを構築することができ、位置決め部材３を地下壁Ｃから除去し円筒状部材１とセパレーター芯材２をコンクリート内に埋設させることができる。
【００４７】
そして、保護部材４の内孔Ｈ１に止水材を供給することによって円筒状部材１の先端１ａ側から地盤Ｇ側と地下壁Ｃの隙間に止水材を注入することができる。これにより、本来、型枠７を保持するために用いられる型枠用セパレーターＡを止水材の注入用として使用できるため、従来の裏面防水工法のように別途貫通孔を形成する必要がなく、地下壁Ｃに損傷を与えることを防止でき、かつ止水に掛かるコストを大幅に低減することが可能になる。また、セパレーター跡に加えて別途貫通孔の跡が地下壁Ｃに形成されることがないため、地下壁Ｃの美観の低下を招くことも解消できる。
【００４８】
また、セパレーター芯材２を保護する筒状の保護部材４が具備されていることによって、セパレーター芯材２をコンクリートと非接触状態に保持することができる。これにより、止水材を注入する際に円筒状部材１からセパレーター芯材２を容易に取り外すことができ、保護部材４の内孔Ｈ１から円筒状部材１の内孔Ｈ２に止水材を供給して、地盤Ｇ側と地下壁Ｃの隙間に止水材を注入することができる。
【００４９】
さらに、止水部材５が設けられていることによって、コンクリートと、円筒状部材１及び保護部材４との間を水みちとして漏水が生じることを防止できる。
【００５０】
また、吐出孔１ｅが、円筒状部材１の先端１ａから後端１ｃに向けて切り欠かれたスリットとして設けられていることによって、円筒状部材１の内孔Ｈ２に供給した止水材をこのスリット１ｅを通じて確実に外部に吐出させることができ、確実に地盤Ｇ側と地下壁Ｃの隙間に止水材を注入することができる。
【００５１】
さらに、吐出孔１ｅが、円筒状部材１の軸線Ｏ１中心の周方向に等間隔で６つ（６本）設けられていることによって、地盤Ｇ側と地下壁Ｃの隙間に満遍なく止水材を吐出させることができ、確実にこの隙間を止水材で充填することができる。これにより、漏水を確実に止水させることが可能になる。
【００５２】
また、円筒状部材１の先端１ａ側にスポンジ（弾性部材）６が取り付けられていることによって、例えば打設したコンクリートが硬化する前の段階で発生するコンクリートノロや、地下水などが円筒状部材１の内孔Ｈ２内に流入することを防止でき、円筒状部材１の内孔Ｈ２がコンクリートのセメント成分で閉塞したり、円筒状部材１の内孔Ｈ２を通じて漏水が誘発することを防止できる。
【００５３】
さらに、円筒状部材１とセパレーター芯材２、及びセパレーター芯材２と位置決め部材３ａがネジで接続されることによって、各部材の着脱を確実かつ容易に行なうことができる。
【００５４】
また、円筒状部材１の先端１ａ側に雌ネジ部１ｆが設けられ、地盤Ｇ側に取り付けたスクリュービット１０の後端側の雄ネジ部に雌ネジ部１ｆを螺合させて円筒状部材１が支持されることで、円筒状部材１の設置を容易に行なうことができるとともに、所定の位置に吐出孔１ｅを配することができる。これにより、吐出孔１ｅから吐出させた止水材を確実に地盤Ｇ側と地下壁Ｃとの隙間に注入することが可能になる。
【００５５】
さらに、保護部材４が塩化ビニル製である場合には、コンクリート中の水分などによって保護部材４に腐食が生じることを防止でき、確実にセパレーター芯材２を保護することができる。また、現場で容易に切断加工を行ないその長さを調整できるため、円筒状部材１を一定長さで形成した場合においても、保護部材４の長さを調整することで、地盤Ｇ側と型枠７との隙間、すなわち地下壁Ｃの壁厚に応じた長さで形成されるセパレーター芯材２を確実に保護することが可能になる。また、保護部材４を鋼製とした場合には、より確実にセパレーター芯材２をコンクリートと非接触状態に保持することができる。
【００５６】
さらに、セパレーター芯材２の直径が２分５厘であることによって、従来のセパレーターをそのまま転用することができ、ひいては従来使用される例えばＰコンなどの位置決め部材３ａをそのまま転用することができる。これにより、型枠用セパレーターＡを止水材の注入に利用できるように構成した場合においても、大きな位置決め部材３ａを要することがなく、セパ孔の補修手間の増大を招くことがない。
【００５７】
以上、本発明に係る型枠用セパレーターＡの実施形態について説明したが、本発明は上記の一実施形態に限定されるものではなく、その趣旨を逸脱しない範囲で適宜変更可能である。例えば、本実施形態では、型枠用セパレーターＡの円筒状部材１が、土留め壁Ｇ１のＨ型鋼Ｇ３に取り付けたスクリュービット１０に接続されて支持されるものとしたが、土留め壁Ｇ１に直接円筒状部材１を取り付けて支持するように構成してもよい。
【００５８】
また、本実施形態では、円筒状部材１の先端１ａに設けられる吐出孔１ｅがスリットであるものとしたが、例えば図８に示すように、外面から内面に貫通する例えば円形の吐出孔１ｅであってもよい。さらに、本実施形態では、円筒状部材１の後端１ｃ側にナットを固着して接続部１ｄが形成されるものとしたが、例えば円筒状部材１の内孔Ｈ２内に接続部１ｄが設けられていてもよく、また、この円筒状部材１の接続部１ｄとセパレーター芯材２がネジの締結によって着脱可能に接続されるものとしたが、この限りではなく、例えばセパレーター芯材２を接続部１ｄに嵌合させて互いが着脱可能に接続される構成であってもよいものである。
【００５９】
また、本実施形態では、セパレーター芯材２を保護する保護部材４が設けられているものとしたが、必ずしも保護部材４が具備される必要はなく、地下壁を構築した後に、コンクリートに埋設されたセパレーター芯材２を取り除き、この取り外したセパレーター芯材２により画成されるコンクリートの孔に止水材を供給することによって連通する円筒状部材１の内孔Ｈ２に止水材を供給するようにしてもよい。さらに、本実施形態では、保護部材４が塩化ビニル製であるものとしたが、他の材質で保護部材４が形成されてもよい。また、保護部材４に環装されて止水部材５が設けられているものとしたが、この止水部材５は、円筒状部材１に環装されて設けられてもよく、さらに保護部材４と円筒状部材１の両部材にそれぞれ設けられてもよい。また、必ずしも止水部材５が具備されていなくてもよい。さらに、本実施形態では、弾性部材６がスポンジであるものとしたが、例えばゴムなどの他の弾性部材であってもよい。
【００６０】
また、本実施形態では、セパレーター芯材２が２分５厘で形成されているものとしたが、これに限定する必要はない。
【図面の簡単な説明】
【００６１】
【図１】本発明の一実施形態に係る型枠用セパレーターを示す図である。
【図２】本発明の一実施形態に係る型枠用セパレーターを用いて型枠を設置する際の筒状部及び弾性部材の設置状況を示す図である。
【図３】本発明の一実施形態に係る型枠用セパレーターを用いて型枠を設置する際のセパレーター部の設置状況を示す図である。
【図４】本発明の一実施形態に係る型枠用セパレーターを用いて型枠を設置する際の保護部材の設置状況を示す図である。
【図５】本発明の一実施形態に係る型枠用セパレーターを用いて型枠を設置する際の位置決め部材の設置状況を示す図である。
【図６】本発明の一実施形態に係る型枠用セパレーターを用いて型枠を設置する際の型枠設置状況を示す図である。
【図７】本発明の一実施形態に係る型枠用セパレーターを利用して止水材を注入する状況を示す図である。
【図８】本発明の一実施形態に係る型枠用セパレーターの変形例を示す図である。
【符号の説明】
【００６２】
１      円筒状部材（筒状部）
１ａ    先端
１ｂ    本体部
１ｃ    後端
１ｄ    接続部
１ｅ    吐出孔
１ｆ    雌ネジ部
１ｇ    雌ネジ部
２      セパレーター芯材（セパレーター部）
２ａ    雄ネジ部
３      位置決め部
３ａ    位置決め部材
３ｂ    ネジ棒
３ｃ    雌ネジ部
４      保護部材
５      止水部材
６      弾性部材
７      型枠
１０    スクリュービット
Ａ      型枠用セパレーター
Ｃ      地下壁
Ｇ      地盤
Ｇ１    土留め壁
Ｇ２    壁面
Ｇ３    Ｈ型鋼（親杭）
Ｏ１    軸線
【図１】
2007277881.tif 000003
【図２】
2007277881.tif 000004
【図３】
2007277881.tif 000005
【図４】
2007277881.tif 000006
【図５】
2007277881.tif 000007
【図６】
2007277881.tif 000008
【図７】
2007277881.tif 000009
【図８】
2007277881.tif 000010